(57)【特許請求の範囲】
【請求項１】
デバイスの使用を監視するためのシステムであって、
アクションを実施するための手持ち式デバイス（１０２）であって、エンゲージメントセンサを含む、手持ち式デバイス（１０２）と、
プロセッサ（９３０）及びメモリコンポーネント（１４０）を含むコンピュータと、を備える、システムであって、前記メモリコンポーネント（１４０）が、前記プロセッサ（９３０）によって実行される際に、前記コンピュータに、少なくとも、
有効な状態にある前記手持ち式デバイス（１０２）の単回パスの持続時間に関連する、前記手持ち式デバイス（１０２）の最小デバイスエンゲージメント時間を決定することと、
前記エンゲージメントセンサから、実際のデバイスエンゲージメント時間を含む出力データを受信することと、
前記実際のデバイスエンゲージメント時間が、前記最小デバイスエンゲージメント時間と少なくとも同じ長さであるかどうかを決定することと、
前記実際のデバイスエンゲージメント時間が、前記最小デバイスエンゲージメント時間と少なくとも同じ長さであると決定することに応じて、前記手持ち式デバイス（１０２）によって取られたアクションを決定することと、
前記手持ち式デバイス（１０２）によって取られた前記アクションに関連するデータを表示用に提供することと、を実施させる論理を格納していることとを含み、
前記手持ち式デバイス（１０２）は、前記手持ち式デバイス（１０２）をモバイルデバイス（１０４）とリンクすることによって、前記手持ち式デバイス（１０２）の作動によって有効化され、かつ、
前記実際のデバイスエンゲージメント時間が最小エンゲージメント時間と少なくとも同じ長さでない場合、前記手持ち式デバイス（１０２）が実際にはエンゲージメントされていなかったという推定がなされ得るシステム。
【請求項２】
前記コンピュータが、
前記手持ち式デバイス（１０２）に一体化され、前記手持ち式デバイス（１０２）がトランスミッタを更に含み、前記コンピュータが前記トランスミッタを利用して合計エンゲージメント回数に関連するデータを通信するか、又は
前記手持ち式デバイス（１０２）に一体化されたローカルコンピューティングデバイスと通信するリモートコンピューティングデバイス（１０６）、のうちの１つである、請求項１に記載のシステム。
【請求項３】
前記コンピュータが、前記手持ち式デバイス（１０２）に一体化されたローカルコンピューティングデバイスと通信するリモートコンピューティングデバイス（１０６）を含む、請求項１に記載のシステム。
【請求項４】
前記アクションが、前記手持ち式デバイス（１０２）による実際のパス回数を含み、前記メモリコンポーネント（１４０）が、前記コンピュータに、少なくとも、
前記手持ち式デバイス（１０２）の有効化から前記手持ち式デバイス（１０２）の無効化までの予測される合計パス回数を特定するための選択肢（６３２）を、ユーザに提供することと、
前記予測される合計パス回数を合計パス回数と比較することと、
前記比較の結果を表示用に提供することと、を実施させる論理を更に格納している、請求項１に記載のシステム。
【請求項５】
前記手持ち式デバイス（１０２）が、前記手持ち式デバイス（１０２）が有効化されていることを示す信号を前記エンゲージメントセンサから受信すること、及び前記手持ち式デバイス（１０２）上のユーザの選択肢（６３２）の作動を受信すること、の少なくとも一方に応じて、かつ、前記手持ち式デバイス（１０２）の無効化を決定することに応じて、前記コンピュータに通信可能に接続する、請求項１に記載のシステム。
【請求項６】
前記手持ち式デバイス（１０２）が、かみそり及び歯ブラシのうちの少なくとも１つを含み、
前記手持ち式デバイス（１０２）によって取られた前記アクションが、前記手持ち式デバイス（１０２）の有効化から前記手持ち式デバイス（１０２）の無効化までの合計時間、前記実際のデバイスエンゲージメント時間の平均長さ、前記手持ち式デバイス（１０２）に接触する水の温度、連続的な実際のデバイスエンゲージメント間の持続時間、エンゲージメントのカウント、前記手持ち式デバイス（１０２）の速度、前記手持ち式デバイス（１０２）の加速度、前記手持ち式デバイス（１０２）によって走行される距離、ユーザに対する前記手持ち式デバイス（１０２）の角度、前記手持ち式デバイス（１０２）の第２の部分に対する前記手持ち式デバイス（１０２）の第１の部分の角度、前記手持ち式デバイス（１０２）の前記第２の部分に対する前記手持ち式デバイス（１０２）の前記第１の部分の角度的回転、及び表面に抗する力、のうちの少なくとも１つを含む、請求項１に記載のシステム。
【請求項７】
デバイスの使用を監視するための方法であって、
皮膚の長さを横切るかみそりデバイス（１０２）の単回ストロークをカウントするために必要な最小持続時間に関連するかみそりデバイス（１０２）の最小かみそりエンゲージメント時間を決定することと、
前記皮膚の長さを横切る前記かみそりデバイス（１０２）の実際のストロークに関連するストロークデータであって、前記皮膚の長さを横切る前記かみそりデバイス（１０２）の前記実際のストロークの実際の持続時間を含む、ストロークデータを受信することと、
前記実際の持続時間が前記最小持続時間と少なくとも同じ長さであるかどうかを決定することと、
前記実際の持続時間が前記最小持続時間と少なくとも同じ長さであると決定することに応じて、前記かみそりデバイス（１０２）によって取られたアクションを、前記ストロークデータから決定することと、
前記かみそりデバイス（１０２）によって取られた前記アクションに関連するデータを、表示用に提供することと、を含み、
前記かみそりデバイス（１０２）は、前記かみそりデバイス（１０２）をモバイルデバイス（１０４）とリンクすることによって、前記かみそりデバイス（１０２）の作動によって有効化され、かつ、
前記実際のデバイスエンゲージメント時間が最小エンゲージメント時間と少なくとも同じ長さでない場合、前記かみそりデバイス（１０２）が実際にはエンゲージメントされていなかったという推定がなされ得る方法。
【請求項８】
調整指示を、リモートコンピューティングデバイス（１０６）から受信することと、
前記調整指示に基づいて、前記かみそりデバイス（１０２）の少なくとも１つの設定を変更することと、
前記かみそりデバイス（１０２）が有効化されていることを示す信号を前記かみそりデバイス（１０２）から受信すること、及び前記かみそりデバイス（１０２）上のユーザの選択肢（６３２）の作動を受信すること、の少なくとも一方に応じて、かつ、前記かみそりデバイス（１０２）の無効化を決定することに応じて、コンピュータに通信可能に接続することと、
前記かみそりデバイス（１０２）の有効化から前記かみそりデバイス（１０２）の無効化までの合計時間、前記実際の持続時間の平均長さ、前記かみそりデバイス（１０２）に接触する水の温度、連続的な実際のデバイスエンゲージメント間の持続時間、エンゲージメントのカウント、前記かみそりデバイス（１０２）の速度、前記かみそりデバイス（１０２）の加速度、前記かみそりデバイス（１０２）によって走行される距離、ユーザに対する前記かみそりデバイス（１０２）の角度、前記かみそりデバイス（１０２）の第２の部分に対する前記かみそりデバイス（１０２）の第１の部分の角度、前記かみそりデバイス（１０２）の前記第２の部分に対する前記かみそりデバイス（１０２）の前記第１の部分の角度的回転、及び表面に抗する力、のうちの少なくとも１つを決定することと、を更に含む請求項７に記載の方法。
【請求項９】
データを補助デバイスから受信して前記アクションに関連するデータを決定することを更に含み、前記補助デバイスが、シェーブプレップ容器、練り歯磨き容器、交換用かみそり、交換用歯ブラシヘッド、かみそりデバイス容器、及び歯ブラシ容器、のうちの少なくとも１つを含む請求項７に記載の方法。
【請求項１０】
ユーザの性別、過去のユーザの好み、及び前記ユーザの識別情報のうちの少なくとも１つを決定することと、ユーザの性別、過去のユーザの好み、及び前記ユーザの識別情報のうちの少なくとも１つを決定することに応じて、前記最小かみそりエンゲージメント時間を適切に調節することと、を更に含む請求項７に記載の方法。
【請求項１１】
デバイスの使用を監視するための非一時的コンピュータ可読媒体であって、コンピューティングデバイスによって実行される際に、少なくとも、
手持ち式デバイス（１０２）の最小デバイスエンゲージメント時間であって、有効な状態にある前記手持ち式デバイス（１０２）の単回パスの持続時間に関連し、前記手持ち式デバイス（１０２）が、前記手持ち式デバイス（１０２）がいつエンゲージメントされるかを決定するためのエンゲージメントセンサを含む、最小デバイスエンゲージメント時間を決定することと、
前記エンゲージメントセンサから、実際のデバイスエンゲージメント時間に関連する出力データを受信することと、
前記実際のデバイスエンゲージメント時間が、前記最小デバイスエンゲージメント時間と少なくとも同じ長さであるかどうかを決定することと、
前記実際のデバイスエンゲージメント時間が、前記最小デバイスエンゲージメント時間と少なくとも同じ長さであると決定することに応じて、前記手持ち式デバイス（１０２）によって取られたアクションを決定することと、
前記アクションに関連するデータを表示用に提供することと、を実施する論理を格納していることと、を含み、
前記手持ち式デバイス（１０２）は、前記手持ち式デバイス（１０２）をモバイルデバイス（１０４）とリンクすることによって、前記手持ち式デバイス（１０２）の作動によって有効化され、かつ、
前記実際のデバイスエンゲージメント時間が最小エンゲージメント時間と少なくとも同じ長さでない場合、前記手持ち式デバイス（１０２）が実際にはエンゲージメントされていなかったという推定がなされ得る、非一時的コンピュータ可読媒体。
【請求項１２】
前記アクションを決定することが、前記手持ち式デバイス（１０２）がユーザにエンゲージメントしていることを決定することを含む、請求項１１に記載の非一時的コンピュータ可読媒体。
【請求項１３】
前記論理が、前記コンピューティングデバイスに、少なくとも
前記手持ち式デバイス（１０２）の有効化から前記手持ち式デバイス（１０２）の無効化までの予測されるエンゲージメント合計回数を特定するための選択肢（６３２）を、ユーザに提供することと、
前記予測される合計エンゲージメント回数を合計エンゲージメント回数と比較することと、
比較の結果を表示用に提供することと、を更に実施させる、請求項１１に記載の非一時的コンピュータ可読媒体。
【請求項１４】
前記論理が、前記コンピューティングデバイスに、
前記手持ち式デバイス（１０２）の有効化から前記手持ち式デバイス（１０２）の無効化までの合計時間、前記実際のデバイスエンゲージメント時間の平均長さ、前記手持ち式デバイス（１０２）に接触する水の温度、連続的な実際のデバイスエンゲージメントの持続時間、エンゲージメントのカウント、前記手持ち式デバイス（１０２）の速度、前記手持ち式デバイス（１０２）の加速度、前記手持ち式デバイス（１０２）によって走行される距離、ユーザに対する前記手持ち式デバイス（１０２）の角度、前記手持ち式デバイス（１０２）の第２の部分に対する前記手持ち式デバイス（１０２）の第１の部分の角度、前記手持ち式デバイス（１０２）の前記第２の部分に対する前記手持ち式デバイス（１０２）の前記第１の部分の角度的回転、及び表面に抗する力、のうちの少なくとも１つを決定することと、
ユーザの性別、過去のユーザの好み、及び前記ユーザの識別情報のうちの少なくとも１つを決定して、ユーザの性別、過去のユーザの好み、及び前記ユーザの識別情報のうちの少なくとも１つを決定することに応じて、前記最小デバイスエンゲージメント時間を適切に調節することと、を更に実施させる、請求項１１に記載の非一時的コンピュータ可読媒体。
【請求項１５】
前記論理が、前記コンピューティングデバイスを更に、ローカルコンピューティングデバイスが前記手持ち式デバイス（１０２）が有効化されていることを示す信号を前記エンゲージメントセンサから受信すること、及び前記手持ち式デバイス（１０２）が前記手持ち式デバイス（１０２）上のユーザの選択肢（６３２）の作動を受信すること、の少なくとも一方に応じて、かつ、前記手持ち式デバイス（１０２）の無効化の決定に応じて、前記手持ち式デバイス（１０２）に一体化された前記ローカルコンピューティングデバイスに通信可能に接続させる、請求項１１に記載の非一時的コンピュータ可読媒体。
【発明の詳細な説明】
【技術分野】
【０００１】
本出願は、一般に、デバイスの使用を監視し、デバイスの調整を可能とするためのシステム及び方法に関し、具体的には、手持ち式デバイスに関連する使用のデータを監視し、調整の選択肢を提供するための、手持ち式デバイス、ユーザデバイス、及びリモートコンピューティングデバイスの間の通信を容易にするシステム及び方法に関する。
【背景技術】
【０００２】
多くの人が歯ブラシ及びかみそりのような手持ち式デバイスを利用しているが、ユーザは歯ブラシヘッド又はかみそりカートリッジのような交換部品を、いつ交換すべきかを認識していない場合が多い。こういった場合、手持ち式デバイスは適正に動作しなくなる可能性が高い。加えて、ユーザは、手持ち式デバイスの耐用年数をできるだけ延ばし、かつ／又は、使用中に好みの使い勝手を優先させるために、手持ち式デバイスを不適切に利用している場合がある。したがって、当業界には一定のニーズが存在する。
【発明の概要】
【課題を解決するための手段】
【０００３】
デバイスの使用を監視するためのシステムの実施形態が含まれる。システムはアクションを実施するための手持ち式デバイスであって、エンゲージメントセンサを含む手持ち式デバイスと、プロセッサ及びメモリコンポーネントを含むコンピュータとを含み得る。メモリコンポーネントは、プロセッサによって実行される際に、コンピュータに、手持ち式デバイスの最小デバイスエンゲージメント時間を決定させる論理を格納し得、最小デバイスエンゲージメント時間が、有効な状態にある手持ち式デバイスの単回パスの持続時間に関連する。いくつかの実施形態では、論理は、コンピュータに、エンゲージメントセンサから出力データであって、実際のデバイスエンゲージメント時間を含む、出力データを受信することと、実際のデバイスエンゲージメント時間が、最小デバイスエンゲージメント時間と少なくとも同じ長さであるかどうかを決定することと、実際のデバイスエンゲージメント時間が最小デバイスエンゲージメント時間と少なくとも同じ長さであることを決定することに応じて、手持ち式デバイスによって取られたアクションを決定することと、を行わせる。いくつかの実施形態では、論理は、コンピュータに、手持ち式デバイスによって取られたアクションに関連するデータを、表示用に提供させる。
【０００４】
方法の実施形態もまた含まれる。方法のいくつかの実施形態は、かみそりデバイスの最小かみそりエンゲージメント時間であって、皮膚の長さを横切るかみそりデバイスの単回ストロークをカウントするために必要な最小持続時間に関連する、最小かみそりエンゲージメント時間を決定することと、皮膚の長さを横切るかみそりデバイスの実際のストロークに関連するストロークデータであって、皮膚の長さを横切るかみそりデバイスの実際のストロークの実際の持続時間を含む、ストロークデータを受信することと、実際の持続時間が最小持続時間と少なくとも同じ長さであるかどうかを決定することと、を含む。いくつかの実施形態は、実際の持続時間が最小持続時間と少なくとも同じ長さであると決定することに応じて、かみそりデバイスによって取られたアクションを、ストロークデータから決定するように構成され得る。いくつかの実施形態は、かみそりデバイスによって取られたアクションに関連するデータを、表示用に提供するように構成され得る。
【０００５】
また、非一時的コンピュータ可読媒体の実施形態も含まれる。非一時的コンピュータ可読媒体のいくつかの実施形態は、コンピュータによって実行される際に、コンピュータに、手持ち式デバイスの最小デバイスエンゲージメント時間を決定させる論理を含み、最小デバイスエンゲージメント時間が、有効な状態にある手持ち式デバイスの単回パスの持続時間に関連し、手持ち式デバイスが、手持ち式デバイスがいつエンゲージメントされるかを決定するためのエンゲージメントセンサを含む。
【０００６】
いくつかの実施形態では、論理は、コンピュータに、エンゲージメントセンサからの出力データであって、実際のデバイスエンゲージメント時間に関連する、出力データを受信することと、実際のデバイスエンゲージメント時間が、最小デバイスエンゲージメント時間と少なくとも同じ長さであるかどうかを決定することと、実際のデバイスエンゲージメント時間が最小デバイスエンゲージメント時間と少なくとも同じ長さであることを決定することに応じて、手持ち式デバイスによって取られたアクションを決定することと、を行わせる。いくつかの実施形態では、論理は、コンピュータに、アクションに関連するデータを、表示用に提供させる。
【図面の簡単な説明】
【０００７】
前述の一般的な説明及び以下の詳細な説明は両方とも、種々の実施形態を説明し、特許請求される発明の主題の本質及び特徴を理解するための概観又は骨組を提供することが意図されることを理解されたい。添付の図面は、種々の実施形態の更なる理解を提供するために含められたものであり、本明細書の一部に組み込まれると共に本明細書の一部をなすものである。図面は、本明細書に記述される種々の実施形態を例示し、説明と共に、特許請求される発明の主題の原理及び動作を説明する役割を果たす。
【図１】本明細書において説明される実施形態による、デバイスの使用及びデバイスの調整を監視するための通信環境を描写する。
【図２】本明細書において説明される実施形態による、デバイスの使用及びデバイスの調整を監視するための手持ち式デバイスを描写する。
【図３】本明細書において説明される実施形態による、デバイスの使用を監視するために提供され得るユーザーインターフェースを描写する。
【図４】本明細書において説明される実施形態による、手持ち式デバイスによるパス回数を予測するために、ユーザに提供され得るユーザーインターフェースを描写する。
【図５】本明細書において説明される実施形態による、手持ち式デバイスの使用に関するデータを提供するためのユーザーインターフェースを描写する。
【図６】本明細書において説明される実施形態による、デバイスの調整のための選択肢を提供するためのユーザーインターフェースを描写する。
【図７】本明細書において説明される実施形態による、デバイスの監視のためのフロー図を描写する。
【図８】本明細書において説明される実施形態による、デバイスの調整のためのフロー図を描写する。
【図９】本明細書において説明される実施形態による、デバイスの監視及びデバイスの調整のためのコンピューティングデバイスを描写する。
【発明を実施するための形態】
【０００８】
本明細書において開示される実施形態は、デバイスの監視及びデバイスの調整のためのシステム及び方法を含む。一例として、いくつかの実施形態は、エンゲージメントセンサからの信号を手持ち式デバイス上で受信し、信号が手持ち式デバイスが使用されていることを示すかどうかを決定するように構成され得る。一例として、手持ち式デバイスが直線形かみそりである場合、信号はユーザの皮膚に抗するかみそりの圧力に関連し得る。同様に、手持ち式デバイスがエンゲージメントする時間が測定され、最小エンゲージメント時間と比較されて、信号が実際のストロークを示すかどうか、又は信号が誤信号である可能性があるかどうかを決定し得る場合であったとしても、信号は、かみそりが使用されていることを示す特定の形配置されるか又は動かされていることに応じたものとすることができる。このデータは、シェービングセッションが完了したことが決定されるまで、蓄積され得る。シェービングセッションが完了したことを決定することは、不使用後のタイムアウト、セッションの開始から予測される終了時間までのタイムアウト、所定のストローク回数及びタイムアウト、電源スイッチの作動及び／又は他のものを含み得る。
【０００９】
いずれにせよ、手持ち式デバイスは、モバイルデバイスのような別のコンピュータと通信するためのハードウェア及び／又はソフトウェアを含むことができる。モバイルデバイスはデータを受信し、取られたストローク回数、ストロークあたりの時間、セッション時間、及び／又は他のデータに関連する１つ以上のユーザーインターフェースを提供し得る。いくつかの実施形態は、取られるストローク回数を推測するための選択肢を、ユーザに提供し、次いで、ストローク回数は取られる実際のストローク回数と比較される。このことは、ユーザが、かみそりカートリッジ、かみそり、及び／又は他の補助デバイスをいつ交換すべきかを、より正確に決定することに役立ち得る。データはまた、手持ち式デバイスをより効果的に使用するための指示を、ユーザに提供するために使用され得る。一例として、ストローク速度が速過ぎる場合、ストロークの角度が正しくない場合、使用される水の温度が高過ぎる場合、ユーザの使用によるストローク回数が多過ぎるか又は少な過ぎる場合等は、手持ち式デバイス及び／又はモバイルデバイスは、問題及び／又は解決策をユーザに示すことができる。
【００１０】
本明細書において説明される実施形態はまた、手持ち式デバイスを調整するための設定を、手持ち式デバイスに対して決定するように構成され得る。一例として、ストロークをカウントするための最小ストローク時間は、モバイルデバイスを介してユーザに提供され得る。いくつかの実施形態では、モバイルデバイスはまた、設定のうちの１つ以上を変更するための選択肢を、ユーザに提供し得る。いくつかの実施形態では、手持ち式デバイスから受信したデータに基づく、自動較正のための選択肢がある。これら及び他の実施形態についてはまた、以下により詳しく説明する。
【００１１】
ここで図面を参照すると、図１は、本明細書において説明される実施形態による、デバイスの使用及びデバイスの調整を監視するための通信環境を描写する。図示されるように、通信環境は、手持ち式デバイス１０２、モバイルデバイス１０４、リモートコンピューティングデバイス１０６、及び／又は他のデバイスに通信可能に結合するネットワーク１００を含む。このように、ネットワーク１００は、インターネット、公衆交換電話網、セルラーネットワーク、及び同種のもの等の、広域ネットワークを含み得る。同様に、ネットワーク１００は、イーサネット又はワイヤレスフィディリティのような、ローカルエリアネットワークを含み得る。いくつかの実施形態では、ネットワーク１００は、Ｂｌｕｅｔｏｏｔｈ（商標）、近距離無線通信、及び／又は同種のもの等の、デバイス間直接通信プロトコルを含み得る。
【００１２】
図１にはまた、手持ち式デバイス１０２も描写されている。手持ち式デバイス１０２は、顔用かみそり、身体用かみそり、歯ブラシ、スキンケアデバイス、及び／又は他のデバイスを含み得る。このように、手持ち式デバイス１０２は、給電されるデバイス（電動かみそり又は電動歯ブラシ等）又は給電されないデバイス（直線形かみそり又は電動でない歯ブラシ等）であり得る。いずれにせよ、手持ち式デバイス１０２は、モバイルデバイス１０４及び／又はリモートコンピューティングデバイス１０６と通信するように構成され得る。
【００１３】
モバイルデバイス１０４は、スマートフォン、パーソナルコンピュータ、ラップトップ、タブレット、ウェアラブルデバイス、及び同種のもの等の、任意のコンピュータ又はコンピューティングデバイスを含み得る。以下により詳しく述べるように、モバイルデバイス１０４は、メモリコンポーネント、プロセッサ、並びに手持ち式デバイス１０２に関連するユーザーインターフェース、選択肢、及びデータを提供するための論理を含み得る。具体的には描写されないが、モバイルデバイス１０４は、図１及び図９におけるリモートコンピューティングデバイス１０６について描写されかつ説明される、ハードウェア（及び／又はソフトウェア）コンポーネントの一部又は全部を含み得る。
【００１４】
リモートコンピューティングデバイス１０６は、手持ち式デバイス１０２及び／又はモバイルデバイス１０４と通信し得、本明細書において説明される機能性を提供するための、サーバ、パーソナルコンピュータ、又は他のコンピューティングデバイスとして構成され得る。したがって、リモートコンピューティングデバイス１０６は、監視論理１４４ａ及び調節論理１４４ｂを格納するための、メモリコンポーネント１４０を含み得る。以下により詳しく説明するように、監視論理１４４ａは、プロセッサによって実行される際に、手持ち式デバイス１０２との通信を引き起こし、その使用を監視し、本明細書に説明される他の決定を行う。調節論理１４４ｂは、同様に、手持ち式デバイス１０２及び／又は手持ち式デバイス１０２の監視パラメータに対する調節を容易にし得る。このように、監視論理１４４ａ及び調節論理１４４ｂは、リモートコンピューティングデバイス１０６内に置かれるように描写されているが、いくつかの実施形態では、監視論理１４４ａ、調節論理１４４ｂ、及び／又は同等の論理が、手持ち式デバイス１０２及び／又はモバイルデバイス１０４上に置かれてもよい。
【００１５】
図２は、本明細書において説明される実施形態による、デバイスの使用及びデバイスの調整を監視するための手持ち式デバイス１０２を描写している。図示されるように、手持ち式デバイス１０２は、ハンドル部分２１０、感知システム２１２、及びカートリッジ接続コンポーネント２１４を含み得る。ハンドル部分２１０は、ユーザが手持ち式デバイス１０２を保持するのを容易にする構造体を含み得る。ハンドル部分２１０はまた、モバイルデバイス１０４及び／又はリモートコンピューティングデバイス１０６と通信するための、トランスミッタ、レシーバ、並びに／又は他のハードウェア及びソフトウェアを含み得る、送信システムを含み得る。送信システムはまた、一体化されたコンピューティングデバイスとして構成され得る、ローカルコンピューティングデバイスに電気的に結合され得る。ローカルコンピューティングデバイスは、この通信を容易にするためのソフトウェアを実行するハンドル部分２１０内のメモリコンポーネント、プロセッサ、及び／又は他のコンピューティングコンポーネントを含み得る。ハンドル部分２１０は、水及び／又は任意の補助物質の種類（シェービングクリーム、練り歯磨き等）を受け取り、受け取った物質の抵抗率を決定するためのリザーバを含み得る。
【００１６】
一例として、いくつかの実施形態は、水種類、補助物質種類（シェービング準備種類を含み得る）に関連する環境データ、手持ち式デバイスからの距離、手持ち式デバイスとの干渉に関するデータ、及び／又は他の環境データを受信するように構成され得る。加えて、手持ち式デバイス１０２及び／又はモバイルデバイス１０４は、環境データに基づいて、第１の動作パラメータ及び／又は第２の動作パラメータを自動で調節し得る。
【００１７】
感知システム２１２は、手持ち式デバイス１０２が使用されているかどうかを決定するための、押圧センサ、ジャイロスコープ、加速度計、温度センサ及び／又は他のセンサのような、１つ以上のエンゲージメントセンサを含み得る。感知システム２１２は、ハンドル部分２１０内のローカルコンピューティングデバイスに電気的に結合され得、手持ち式デバイス１０２のエンゲージメントを検知するように構成され得る。一例として、図２は、かみそりデバイスがユーザの皮膚に押下されたときに、押圧センサがトリガされるように、押圧センサとして構成された感知システム２１２を備えたかみそりデバイスを描写する。感知システム２１２のいくつかの実施形態は、エンゲージメントセンサが有効化されている時間の長さを決定するためのタイマを含み得る。したがって、感知システム２１２は手持ち式デバイス１０２の位置、角度、及び／又は移動を検知することができ、その情報を送信システムに（ローカルコンピューティングデバイス等を介して）通信することができる。
【００１８】
カートリッジ接続コンポーネント２１４は、カートリッジ（ブラシヘッド、かみそりカートリッジ等であるが、実施形態による）を受けるように構成され得る。加えて、カートリッジ接続コンポーネント２１４は、使用データを、カートリッジからハンドル部分２１０に通信するために、感知システム２１２に接続し得る。
【００１９】
いくつかの実施形態は、他の決定及び／又は調節を行うために、シェーブプレップ容器、練り歯磨き容器として、交換用かみそり、交換用歯ブラシヘッド、かみそりデバイス容器、歯ブラシ容器等の、補助デバイスと通信するように、更に構成され得ることを理解されたい。一例として、手持ち式デバイス１０２及び／又はモバイルデバイス１０４は、シェーブプレップ容器に接続されたコンピューティングコンポーネントと通信し、ユーザにより使用されたシェーブプレップの量、シェーブプレップを使用するタイミング、及び／又は他の情報を決定し得る。この情報に基づいて、手持ち式デバイス１０２及び／又はモバイルデバイス１０４は、設定（ストロークをカウントするための最小持続時間等）に対する調節をなし、及び／又は他のデータをユーザに提供し得る。
【００２０】
図３は、本明細書において説明される実施形態による、デバイスの使用を監視するために提供され得るユーザーインターフェース３３０を描写している。図示されるように、ユーザーインターフェース３３０は、手持ち式デバイス１０２の使用の検知を始めるように構成され得る。具体的には、モバイルデバイス１０４は、監視アプリケーション及び調節アプリケーション（監視アプリケーション及び調節アプリケーションは、監視論理１４４ａ及び調節論理１４４ｂを介して、それぞれ提供され得る）のような、１つ以上のアプリケーションを提供するように構成され得る。監視アプリケーションの選択に応じて、モバイルデバイス１０４は、手持ち式デバイス１０２が有効にされかつ／又はエンゲージメントされたときに、モバイルデバイス１０４が手持ち式デバイス１０２からデータを受信することができるように、手持ち式デバイス１０２とリンクされ得る。受信したデータは、手持ち式デバイス１０２が生成するパス回数に関するデータ、ストロークの持続時間、及び／又は他のデータを含み得る。したがって、ユーザーインターフェース３３０は、手持ち式デバイス１０２とモバイルデバイス１０４との間のリンクを開始することに関する指示を提供し得る。ユーザーインターフェース３３０はまた、選択肢３３２を含むことができ、選択肢３３２はデバイス監視及び／又はデバイス調整に関連する追加の選択肢を提供し得る。
【００２１】
いくつかの実施形態では、手持ち式デバイス１０２は、モバイルデバイス１０４若しくはリモートコンピューティングデバイス１０６への接続を伴うか又は伴わず、使用の監視を自動で始めるように構成され得ることを理解されたい。具体的には、手持ち式デバイス１０２は、手持ち式デバイス１０２が、モバイルデバイス１０４及び／又はリモートコンピューティングデバイス１０６に接続する場合／接続する際に、データがその時点で通信され得るように、使用データをメモリにより格納するように構成され得る。
【００２２】
図４は、本明細書において説明される実施形態による、手持ち式デバイス１０２によるパス回数を予測するために、ユーザに提供され得るユーザーインターフェース４３０を描写している。図示されるように、ユーザーインターフェース４３０は、ユーザが、シェービングセッション、歯磨きセッション、又は他のセッションの間になされると考える、予測される合計パス回数を入力するために、予測フィールド４３２をユーザに提供し得る。一例として、ユーザはデバイス及び監視アプリケーションを有効化することができる。ユーザは、次いで、手持ち式デバイス１０２により、自分の顔をシェービングすることができる。シェービングが完了すると、手持ち式デバイス１０２及び／又はモバイルデバイス１０４は、シェービングの間になされたパス又はストロークの回数を決定し得る。加えて、ユーザーインターフェース４３０は、ユーザがシェービングの間に自分が取ると考えるストローク回数を入力するために、予測フィールド４３２をユーザに提供し得る。
【００２３】
図５は、本明細書において説明される実施形態による、手持ち式デバイス１０２の使用に関するデータを提供するためのユーザーインターフェース５３０を描写している。図示されるように、ユーザーインターフェース５３０は、手持ち式デバイス１０２の１つ以上の以前のアクティビティ（シェービング、歯磨きセッション等）に関連するデータを監視することを提供し得る。具体的には、セッションが完了すると、セッションに関連するデータは、モバイルデバイス１０４に提供され得る。このデータはセッション中になされたパス（又はストローク、回転等）の回数、予測フィールド４３２（図４）に入力された予測されるパス回数、実際のパス回数と予測されたパス回数との差、平均パス時間、セッション時間、及び履歴データを含み得る。エンゲージメント（ストローク、パス、回転等）の合計回数はまた、リモートコンピューティングデバイス１０６に通信され得る。
【００２４】
一例として、エンゲージメント回数は、手持ち式デバイス１０２からモバイルデバイス１０４（及び／又はリモートコンピューティングデバイス１０６）へ送られ得る。いくつかの実施形態では、エンゲージメント回数は、エンゲージメントセンサがトリガされた回数に基づいて決定され得る。しかしながら、いくつかの実施形態は、エンゲージメントセンサが所定の時間の長さでトリガされる回数のみをカウントするように構成され得る。これにより、エンゲージメントセンサが意図せずトリガされたときに、エンゲージメントをカウントすることを防ぐことができる。
【００２５】
加えて、手持ち式デバイス１０２は、このデータのうちの少なくとも一部をリモートコンピューティングデバイス１０６に通信し得る。いくつかの実施形態では、リモートコンピューティングデバイス１０６は、ストロークデータ（及び他のデータ）を、手持ち式デバイス１０２から受信し得る。リモートコンピューティングデバイス１０６は、データに関して分析を実施し、モバイルデバイス１０４と通信し、データをユーザーインターフェース５３０（及び他のユーザーインターフェース）内で提供し得る。同様に、いくつかの実施形態では、手持ち式デバイス１０２はモバイルデバイス１０４と直接通信してデータを提供し得る。これらの実施形態では、リモートコンピューティングデバイス１０６は、複数のデバイス間のデータのための、クラウドベースサービス及びストレージを提供することができる。
【００２６】
図６は、本明細書において説明される実施形態による、デバイスの調整のための選択肢を提供するためのユーザーインターフェース６３０を描写している。図示されるように、ユーザーインターフェース６３０は、手持ち式デバイス１０２上で設定を調節するための、自動調節選択肢６３２、並びに選択肢６３４〜６５４を提供し得る。選択肢６３４〜６５４は、アナログデジタル（Ａ／Ｄ）閾値選択肢６３４、遅延閾値選択肢６３６、繰り返し閾値選択肢６３８、時間読み取り選択肢６４０、タイムアウト読み取り選択肢６４２、送信パラメータ選択肢６４４、ブロードキャスト周波数パラメータ選択肢６４６、デバイス電圧パラメータ選択肢６４８、ブロードキャスト周波数パラメータ選択肢６５０、積分パラメータ選択肢６５２、デバイス識別情報選択肢６５４を含み得る。選択肢６３４〜６５４のうちの１つ以上の選択に応じて、ユーザは、手持ち式デバイス１０２に対する調整パラメータを、モバイルデバイス１０４に入力することができる。
【００２７】
具体的には、Ａ／Ｄ閾値選択肢６３４を選択することに応じて、ユーザは、ストロークであるとみなされるべき信号に対して、エンゲージメントセンサからの出力の最小電圧レベルを決定することができる。一例として、電圧が低過ぎると検知された場合、センサ出力は誤信号の可能性がある。センサ出力信号が、誤信号として特定されることを防ぐために、このパラメータは調節することができる。同様に、遅延閾値選択肢６３６の選択に応じて、ユーザは、エンゲージメントセンサが、正確であると推定されるべき信号に対してトリガされる時間の最小長さの値を入力することができる。上述のように、センサが正常なストロークに対して極めて短時間、トリガされる場合にエンゲージメントセンサが信号を出力する場合、センサ出力がエラーであり、実際のストロークではなかったという決定がなされ得る。このように、この時間は、キャプチャされる正確なストローク回数を最適化するために調節され得る。
【００２８】
一例として、平均ストローク長さが、特定のユーザにとっては８センチメートル（３インチ）であり、平均速度が、毎秒１５センチメートル（毎秒６インチ）であるという決定がなされ得る。したがって、ユーザは、ストロークをカウントするために、最小時間閾値を調節することができる。この調節は、モバイルデバイス１０４上で、によって、なされてもよく、及び／又は、調節のために手持ち式デバイス１０２に送られてもよい。上で提供された例では、手持ち式デバイス１０２は、エンゲージメントセンサがトリガされる全てのインスタンスを、モバイルデバイス１０４に送るように構成され得、モバイルデバイス１０４は、誤った信号を解析する。このような一実施形態では、モバイルデバイス１０４は、誤った信号を解析するための閾値を調節し得る。同様に、いくつかの実施形態は、手持ち式デバイス１０２が誤った信号を解析し、本物の信号のみをモバイルデバイス１０４に送るように構成され得る。このような実施形態では、モバイルデバイス１０４は、手持ち式デバイス１０２の論理を適切に変更し得る調節を、手持ち式デバイス１０２に通信し得る。他の調節もまた可能である。
【００２９】
ここで図６に戻ると、繰り返し閾値選択肢６３８の選択に応じて、ユーザは、エンゲージメントセンサの出力の中で最も短い許容時間である時間の長さが、分割されたストロークとしてみなされるように決定することができる。具体的には、エンゲージメントセンサが第１の信号を出力し、０．０１秒後に第２の信号を出力する場合、信号のブレークは予想外であり、２つの信号は同じストロークの一部であるとみなされるべき決定がなされ得る。このように、個別にカウントされるべき２つの信号の最小時間が調節され得る。時間読み取り選択肢６４０の選択に応じて、センサイベント、プロセッサアウェイク時間等について、手持ち式デバイス１０２のプロセッサにより利用されるクロックサイクルを特定する時間の測定値が、ユーザにより提供され得る。
【００３０】
時間読み取り選択肢６４２の選択に応じて、手持ち式デバイス１０２の運転停止に必要なセンサ出力を伴わない時間の長さに関連するデータが、ユーザにより提供され得る。送信パラメータ選択肢６４４の選択に応じて、ユーザは、手持ち式デバイス１０２からモバイルデバイス１０４及び／又はリモートコンピューティングデバイス１０６へ、データを送信するための送信振幅（無線周波数振幅等）を決定することができる。
【００３１】
ブロードキャスト周波数パラメータ選択肢６４６の選択に応じて、手持ち式デバイス１０２からのデータの送信に関連するタイミング、周波数及び／又は他のデータが決定され得る。デバイス電圧パラメータ選択肢６４８の選択に応じて、ユーザは、動作限界値及び／又はバッテリ性能に関連する、手持ち式デバイス１０２の動作電圧を決定することができる。ブロードキャスト周波数パラメータ選択肢６５０の選択に応じて、ユーザは、手持ち式デバイス１０２からの出力信号が動作する周波数を決定することができる。積分パラメータ選択肢６５２の選択に応じて、ユーザは、論理定義をなすための、手持ち式デバイス１０２内の論理により使用されるアルゴリズムを決定することができる。一例として、ソフトウェアアップデート及び／又は他の論理が受信され得る。デバイス識別情報選択肢６５４の選択に応じて、ユーザは、データの送信に関連する、手持ち式デバイス１０２の識別子を決定することができる。したがって、自動調節選択肢６３２の選択に応じて、選択肢６３４〜６５４のうちの１つ以上が、手持ち式デバイス１０２又は他のデバイスによって自動で選択され、過去のユーザの好み、過去のユーザの使用、及び／又は他の決定に基づいて、手持ち式デバイス１０２の動作を最適化し得る。
【００３２】
図７は、本明細書において説明される実施形態による、デバイスの監視のためのフロー図を描写している。ブロック７５０に図示されるように、手持ち式デバイス１０２の最小デバイスエンゲージメント時間が決定され得る。最小デバイスエンゲージメント時間は、有効な状態にある手持ち式デバイス１０２の単回パスの持続時間に関連し得る。具体的には、手持ち式デバイス１０２は、手持ち式デバイス１０２をモバイルデバイス１０４とリンクすること等によって、手持ち式デバイス１０２の作動によって有効化され得る。加えて、最小デバイスエンゲージメント時間を決定するための設定が選択され（ユーザによって又は自動で）てもよく、最小デバイスエンゲージメント時間は、エンゲージメントセンサがストローク（又はパス）としてのトリガをカウントするためにトリガされるであろう時間の最短長さを表す。一例として、いくつかの実施形態は、ユーザの性別を決定するように、ユーザの性別を決定することに応じて、最小エンゲージメント時間を調節する（顔のシェービングはおそらく、脚のシェービングよりもストロークが短いため）ことに構成され得る。ブロック７５２では、出力データがエンゲージメントセンサから受信され得、出力データは実際のデバイスエンゲージメント時間を含む。具体的には、送信システムは、エンゲージメントセンサがトリガされたことを表す信号を、手持ち式デバイス１０２上のハードウェア及び／又はソフトウェアに送ることができる。この情報は、次いで、モバイルデバイス１０４、リモートコンピューティングデバイス１０６に送られ、かつ／又は手持ち式デバイス１０２上のハードウェアによって処理され得る。ブロック７５４では、実際のデバイスエンゲージメント時間が最小デバイスエンゲージメント時間とほとんど同じ長さでないかどうかに関する決定がなされ得る。ブロック７５６では、実際のデバイスエンゲージメント時間が最小デバイスエンゲージメント時間と少なくとも同じ長さであると決定することに応じて、手持ち式デバイス１０２によって取られたアクションに関する決定がなされ得る。一例として、アクションは、手持ち式デバイス１０２の有効化から手持ち式デバイス１０２の無効化までの合計時間、実際のデバイスエンゲージメント時間の平均長さ、手持ち式デバイス１０２に接触する水の温度、連続的な実際のデバイスエンゲージメント間の持続時間、エンゲージメントのカウント、手持ち式デバイス１０２の速度、手持ち式デバイス１０２の加速度、手持ち式デバイス１０２によって走行される距離、ユーザに対する前記手持ち式デバイス１０２の角度、手持ち式デバイス１０２の第１の部分の手持ち式デバイス１０２の第２の部分に対する角度、手持ち式デバイス１０２の第１の部分の手持ち式デバイス１０２の第２の部分に対する角度的回転、及び／又は、ユーザの皮膚のような表面に抗する力を含むことができる。実際のデバイスエンゲージメント時間が最小エンゲージメント時間と少なくとも同じ長さでない場合、手持ち式デバイス１０２が実際にはエンゲージメントされていなかったという推定がなされ得る。ブロック７５８では、手持ち式デバイス１０２によって取られたアクションに関連するデータが表示用に提供され得る。
【００３３】
図８は、本明細書において説明される実施形態による、デバイス調整のためのフロー図を描写している。ブロック８５０に図示されるように、手持ち式デバイス１０２が特定され得、手持ち式デバイス１０２は感知システム２１２及び送信システムを含む。ブロック８５２では、手持ち式デバイス１０２の第１の動作パラメータが決定され得、第１の動作パラメータは感知システム２１２に関連する。具体的には、第１の動作パラメータは、アナログデジタル変換閾値、デバイスエンゲージメント遅延閾値、繰り返しエンゲージメント遅延閾値、時間読み取りパラメータ、タイムアウト読み取りパラメータ、及び／又は他のパラメータを含み得る。ブロック８５４では、手持ち式デバイス１０２の第２の動作パラメータが決定され得、第２の動作パラメータは送信システムに関連する。一例として、第２の動作パラメータは送信電力パラメータ、ブロードキャスト周波数パラメータ、デバイス電圧パラメータ、間隔パラメータ、及び／又は他のパラメータを含み得る。ブロック８５６では、ユーザーインターフェースが表示用にユーザに提供され得、ユーザーインターフェースは、第１の動作パラメータ及び／又は第２の動作パラメータを調節するユーザの選択肢を含む。
【００３４】
加えて、いくつかの実施形態は、水の種類、補助物質の種類に関連する環境データ、手持ち式デバイスからの距離、手持ち式デバイスとの干渉に関連するデータ、及び／又は他の環境データを受信するように構成され得る。加えて、手持ち式デバイス１０２及び／又はモバイルデバイス１０４は、環境データに基づいて、第１の動作パラメータ及び／又は第２の動作パラメータを自動で調節し得る。
【００３５】
いくつかの実施形態はまた、第１及び／又は第２の操作パラメータに関連するユーザ入力を受信するように構成され得る。ユーザ入力に基づいて、手持ち式デバイス及び／又はモバイルデバイスに対する調節がなされ得る。
【００３６】
図９は、本明細書において説明される実施形態による、デバイスの監視及びデバイスの調整のためのリモートコンピューティングデバイス１０６を描写している。リモートコンピューティングデバイス１０６は、プロセッサ９３０、入力／出力ハードウェア９３２、ネットワークインターフェースハードウェア９３４、データ格納コンポーネント９３６（履歴データ９３８ａ、設定データ９３８ｂ、及び／又は他のデータを格納する）、並びにメモリコンポーネント１４０を含む。メモリコンポーネント１４０は、揮発性及び／又は不揮発性メモリ等として構成されてよく、ランダムアクセスメモリ（ＳＲＡＭ、ＤＲＡＭ、及び／又は他の種類のＲＡＭを含む）、フラッシュメモリ、セキュアデジタル（ＳＤ）メモリ、レジスタ、コンパクトディスク（ＣＤ）、デジタル多用途ディスク（ＤＶＤ）、及び／又は他の種類の非一時的コンピュータ可読媒体を含み得る。特定の実施形態に応じて、これらの非一時的コンピュータ可読媒体は、リモートコンピューティングデバイス１０６の内部、及び／又はリモートコンピューティングデバイス１０６の外部に置くことができる。
【００３７】
メモリコンポーネント１４０は、動作システム論理９４２、監視論理１４４ａ及び調節論理１４４ｂを格納し得る。監視論理１４４ａ及び調節論理１４４ｂはそれぞれ、複数の異なる論理要素を含み得、それぞれの複数の異なる論理の要素は、一例として、コンピュータプログラム、ファームウェア、及び／又はハードウェアで具現化され得る。ローカルインターフェース９４６は、図９にも含まれ、リモートコンピューティングデバイス１０６のコンポーネント間の通信を容易にするように、バス又は他の通信インターフェースとして実装され得る。
【００３８】
プロセッサ９３０は、（データ格納コンポーネント９３６及び／又はメモリコンポーネント１４０等から）命令を受信し、実行するように動作可能な、任意の処理コンポーネントを含み得る。上で説明されるように、入力／出力ハードウェア９３２は、図９のコンポーネントを含み、かつ／又は図９のコンポーネントと相互作用するように構成され得る。
【００３９】
ネットワークインターフェースハードウェア９３４は、アンテナ、モデム、ＬＡＮポート、ワイヤレスフィディリティ（Ｗｉ−Ｆｉ）カード、ＷｉＭａｘカード、モバイル通信ハードウェアを含む、任意の有線又は無線ネットワークハードウェア、並びに／又は他のネットワーク及び／若しくはデバイスと通信するための他のハードウェアを含む、かつ／又はこれらと通信するように構成され得る。この接続から、図１に描写されたような、リモートコンピューティングデバイス１０６と他のコンピューティングデバイスとの間の通信が容易にされ得る。
【００４０】
動作システム論理９４２は、リモートコンピューティングデバイス１０６のコンポーネントを管理するためのオペレーティングシステム、及び／又は他のソフトウェアを含み得る。上述のように、監視論理１４４ａは、メモリコンポーネント１４０内に位置してよく、プロセッサ９３０に手持ち式デバイス１０２の使用を監視させるように構成され得る。同様に、調節論理１４４ｂは、手持ち式デバイス１０２上の１つ以上の設定を調節するように利用され得る。
【００４１】
図９のコンポーネントは、リモートコンピューティングデバイス１０６内部に置かれるものとして図示されるが、これは一例に過ぎないことを理解されたい。いくつかの実施形態では、コンポーネントのうちの１つ以上は、リモートコンピューティングデバイス１０６の外部に位置してよい。また、リモートコンピューティングデバイス１０６は、単独の一体型デバイスとして図示されるが、これもまた一例に過ぎないことを理解されたい。いくつかの実施形態では、監視論理１４４ａ及び調節論理１４４ｂは、異なるコンピューティングデバイスに位置し得、及び／又はリモートコンピューティングデバイス１０６は、モバイルデバイス１０４として構成され得る。一例として、本明細書において説明される機能性及び／又はコンポーネントのうちの１つ以上が、ネットワーク１００を介してリモートコンピューティングデバイス１０６に結合され得る、手持ち式デバイス１０２、モバイルデバイス１０４、及び／又は他のコンピューティングデバイスによって提供され得る。これらのコンピューティングデバイスはまた、本明細書において説明される機能性を実施するための、ハードウェア及び／又はソフトウェアを含み得る。
【００４２】
加えて、リモートコンピューティングデバイス１０６は、監視論理１４４ａ及び調節論理１４４ｂと共に図示されるが、これもまた一例に過ぎない。いくつかの実施形態では、単一の論理要素が、リモートコンピューティングデバイス１０６に、説明された機能性を提供させ得る。
【００４３】
組み合わせ
一例は以下のとおりである。
Ａ．デバイスの使用を監視するためのシステムであって、
アクションを実施するための手持ち式デバイスであって、エンゲージメントセンサを含む、手持ち式デバイスと、
プロセッサ及びメモリコンポーネントを含むコンピュータと、を備える、システムであって、メモリコンポーネントが、プロセッサによって実行される際に、コンピュータに、少なくとも、
手持ち式デバイスの最小デバイスエンゲージメント時間であって、有効な状態にある手持ち式デバイスの単回パスの持続時間に関連する、最小デバイスエンゲージメント時間を決定することと、
エンゲージメントセンサからの出力データであって、実際のデバイスエンゲージメント時間を含む、出力データを受信することと、
実際のデバイスエンゲージメント時間が、最小デバイスエンゲージメント時間と少なくとも同じ長さであるかどうかを決定することと、
実際のデバイスエンゲージメント時間が、最小デバイスエンゲージメント時間と少なくとも同じ長さであると決定することに応じて、手持ち式デバイスによって取られたアクションを決定することと、
手持ち式デバイスによって取られたアクションに関連するデータを表示用に提供することと、を実施させる論理を格納している、システム。
Ｂ．コンピュータが、手持ち式デバイスに一体化され、手持ち式デバイスがトランスミッタを更に含み、コンピュータがトランスミッタを利用して合計エンゲージメント回数に関連するデータをリモートコンピューティングデバイスに通信する、パラグラフＡに記載のシステム。
Ｃ．コンピュータが、手持ち式デバイスに一体化されたローカルコンピューティングデバイスと通信するリモートコンピューティングデバイスを含む、パラグラフＡに記載のシステム。
Ｄ．アクションが、手持ち式デバイスによる実際のパス回数を含み、メモリコンポーネントが、コンピュータに、少なくとも、
手持ち式デバイスの有効化から手持ち式デバイスの無効化までの予測される合計パス回数を特定するための選択肢を、ユーザに提供することと、
予測される合計パス回数を合計パス回数と比較することと、
比較の結果を表示用に提供することと、を実施させる論理を更に格納している、パラグラフＡに記載のシステム。
Ｅ．手持ち式デバイスが、手持ち式デバイスが有効化されていることを示す信号を、エンゲージメントセンサから受信すること、及び手持ち式デバイス上のユーザの選択肢の作動を受信すること、のうち少なくとも一方に応じて、かつ、手持ち式デバイスの無効化を決定することに応じて、コンピュータに通信可能に接続する、パラグラフＡに記載のシステム。
Ｆ．手持ち式デバイスが、かみそり及び歯ブラシのうちの少なくとも１つを含む、パラグラフＡに記載のシステム。
Ｇ．手持ち式デバイスによって取られたアクションが、手持ち式デバイスの有効化から手持ち式デバイスの無効化までの合計時間、実際のデバイスエンゲージメント時間の平均長さ、手持ち式デバイスに接触する水の温度、連続的な実際のデバイスエンゲージメント間の持続時間、エンゲージメントのカウント、手持ち式デバイスの速度、手持ち式デバイスの加速度、手持ち式デバイスによって走行される距離、ユーザに対する手持ち式デバイスの角度、手持ち式デバイスの第２の部分に対する手持ち式デバイスの第１の部分の角度、手持ち式デバイスの第２の部分に対する手持ち式デバイスの第１の部分の角度的回転、及び表面に抗する力、のうちの少なくとも１つを含む、パラグラフＡに記載のシステム。
Ｈ．デバイスの使用を監視するための方法であって、
皮膚の長さを横切るかみそりデバイスの単回ストロークをカウントするために必要な最小持続時間に関連する、かみそりデバイスの最小かみそりエンゲージメント時間を決定することと、
皮膚の長さを横切るかみそりデバイスの実際のストロークに関連するストロークデータであって、皮膚の長さを横切るかみそりデバイスの実際のストロークの実際の持続時間を含む、ストロークデータを受信することと、
実際の持続時間が最小持続時間と少なくとも同じ長さであるかどうかを決定することと、
実際の持続時間が最小持続時間と少なくとも同じ長さであると決定することに応じて、かみそりデバイスによって取られたアクションを、ストロークデータから決定することと、
かみそりデバイスによって取られたアクションに関連するデータを表示用に提供することと、を含む、方法。
Ｉ．データの少なくとも一部をサーバに提供することを更に含む、パラグラフＨに記載の方法。
Ｊ．
調整指示を、リモートコンピューティングデバイスから受信することと、
調整指示に基づいて、かみそりデバイスの少なくとも１つの設定を変更することと、を更に含むパラグラフＨに記載の方法。
Ｋ．かみそりデバイスが有効化されていることを示す信号を、かみそりデバイスから受信すること、及びかみそりデバイス上のユーザの選択肢の作動を受信すること、のうちの少なくとも一方に応じて、かつ、かみそりデバイスの無効化を決定することに応じて、コンピュータに通信可能に接続することを更に含む、パラグラフＨに記載の方法。
Ｌ．かみそりデバイスの有効化からかみそりデバイスの無効化までの合計時間、実際の持続時間の平均長さ、かみそりデバイスに接触する水の温度、連続的な実際のデバイスエンゲージメント間の持続時間、エンゲージメントのカウント、かみそりデバイスの速度、かみそりデバイスの加速度、かみそりデバイスによって走行される距離、ユーザに対するかみそりデバイスの角度、かみそりデバイスの第２の部分に対するかみそりデバイスの第１の部分の角度、かみそりデバイスの第２の部分に対するかみそりデバイスの第１の部分の角度的回転、及び表面に抗する力、のうちの少なくとも１つを決定すること、を更に含む、パラグラフＨに記載の方法。
Ｍ．データを補助デバイスから受信してアクションに関連するデータを決定することを更に含み、補助デバイスが、シェーブプレップ容器、練り歯磨き容器、交換用かみそり、交換用歯ブラシヘッド、かみそりデバイス容器、及び歯ブラシ容器、のうちの少なくとも１つを含む、パラグラフＨに記載の方法。
Ｎ．ユーザの性別、過去のユーザの好み、及びユーザの識別情報のうちの少なくとも１つを決定することと、ユーザの性別、過去のユーザの好み、及びユーザの識別情報のうちの少なくとも１つを決定することに応じて、最小かみそりエンゲージメント時間を適切に調節することと、を更に含む、パラグラフＨに記載の方法。
Ｏ．デバイスの使用を監視するための非一時的コンピュータ可読媒体であって、コンピューティングデバイスによって実行される際に、少なくとも、
手持ち式デバイスの最小デバイスエンゲージメント時間であって、有効な状態にある手持ち式デバイスの単回パスの持続時間に関連し、手持ち式デバイスが、手持ち式デバイスがいつエンゲージメントされるかを決定するためのエンゲージメントセンサを含む、最小デバイスエンゲージメント時間を決定することと、
エンゲージメントセンサから出力データであって、実際のデバイスエンゲージメント時間に関連する、出力データを受信することと、
実際のデバイスエンゲージメント時間が、最小デバイスエンゲージメント時間と少なくとも同じ長さであるかどうかを決定することと、
実際のデバイスエンゲージメント時間が、最小デバイスエンゲージメント時間と少なくとも同じ長さであると決定することに応じて、手持ち式デバイスによって取られたアクションを決定することと、
アクションに関連するデータを表示用に提供することと、を実施する論理を格納している、非一時的コンピュータ可読媒体。
Ｐ．アクションを決定することが、手持ち式デバイスがユーザとエンゲージメントしていることを決定することを含み、論理が、コンピューティングデバイスに、少なくとも、
手持ち式デバイスの有効化から手持ち式デバイスの無効化までの予測される合計エンゲージメント回数を特定するための選択肢を、ユーザに提供することと、
予測される合計エンゲージメント回数を合計エンゲージメント回数と比較することと、
比較の結果を表示用に提供することと、を実施することを更に実施させる、パラグラフＯに記載の非一時的コンピュータ可読媒体。
Ｑ．論理が、コンピューティングデバイスに、ローカルコンピューティングデバイスが手持ち式デバイスが有効化されていることを示す信号をエンゲージメントセンサから受信すること、及び、手持ち式デバイスが手持ち式デバイス上のユーザの選択肢の作動を受信すること、の少なくとも一方に応じて、かつ、手持ち式デバイスの無効化の決定に応じて、手持ち式デバイスに一体化されたローカルコンピューティングデバイスに通信可能に接続することを更に実施させる、パラグラフＯに記載の非一時的コンピュータ可読媒体。
Ｒ．手持ち式デバイスが、かみそり及び歯ブラシの少なくとも一方を含む、パラグラフＯに記載の非一時的コンピュータ可読媒体。
Ｓ．論理が、コンピューティングデバイスに、手持ち式デバイスの有効化から手持ち式デバイスの無効化までの合計時間、実際のデバイスエンゲージメント時間の平均長さ、手持ち式デバイスに接触する水分の温度、連続的な実際のデバイスエンゲージメント間の持続時間、エンゲージメントのカウント、手持ち式デバイスの速度、手持ち式デバイスの加速度、手持ち式デバイスによって走行される距離、ユーザに対する手持ち式デバイスの角度、手持ち式デバイスの第２の部分に対する手持ち式デバイスの第１の部分の角度、手持ち式デバイスの第２の部分に対する手持ち式デバイスの第１の部分の角度的回転、及び表面に抗する力、のうちの少なくとも１つを決定することを、更に実施させる、パラグラフＯに記載の非一時的コンピュータ可読媒体。
Ｔ．論理が、コンピューティングデバイスに、ユーザの性別、過去のユーザの好み、及びユーザの識別情報のうちの少なくとも１つを決定することと、ユーザの性別、過去のユーザの好み、及びユーザの識別情報のうちの少なくとも１つを決定することに応じて、最小デバイスエンゲージメント時間を適切に調節することと、を更に実施させる、パラグラフＯに記載の非一時的コンピュータ可読媒体。
【００４４】
本明細書に開示した寸法及び値は、記載された正確な数値に厳密に限定されるものと理解されるべきではない。むしろ、特に断らない限り、そのような各寸法は、記載された値とその値の周辺の機能的に同等の範囲の両方を意味するものとする。例えば、「４０ｍｍ」として開示される寸法は、「約４０ｍｍ」を意味するものとする。
【００４５】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００４６】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
0006725651.tif 000002
【図２】
0006725651.tif 000003
【図３】
0006725651.tif 000004
【図４】
0006725651.tif 000005
【図５】
0006725651.tif 000006
【図６】
0006725651.tif 000007
【図７】
0006725651.tif 000008
【図８】
0006725651.tif 000009
【図９】
0006725651.tif 000010